(57)【要約】      （修正有）【課題】公衆加入者電話網や共通線信号網とのインタフェースを備えることなく、複数のＩＳＤＮ加入者回線を直接に収容しつつ、網全体の低コスト化を可能とする。【解決手段】電話交換機能を担うＩＰ網を含む電話交換システムであり、少なくとも１つのＩＳＤＮ加入者回線を収容し、該ＩＳＤＮ加入者回線から受信されるＢチャネル信号及びＤチャネル信号に対してＩＰパケット化処理をなして、得られるＩＰパケットを該ＩＰ網に転送すると共に、該ＩＰ網から受信されるＩＰパケットからＢチャネル信号及びＤチャネル信号を抽出し、得られる各信号を該ＩＳＤＮ加入者回線に転送する少なくとも１つのアクセスゲートウェイと、該ＩＰパケットのうちでＤチャネル信号がＩＰパケット化されたＤチャネル信号パケットを該ＩＰ網を介して送受信し、該Ｄチャネル信号パケットに対してＤチャネル終端処理を行う少なくとも１つのＤチャネル終端装置とを含む。【選択図】図１
2007081994.tif 000002
【特許請求の範囲】
【請求項１】
電話交換機能を担うＩＰ網を含む電話交換システムであって、
少なくとも１つのＩＳＤＮ加入者回線を収容し、前記ＩＳＤＮ加入者回線から受信されるＢチャネル信号及びＤチャネル信号に対してＩＰパケット化処理をなして、得られるＩＰパケットを前記ＩＰ網に転送すると共に、前記ＩＰ網から受信されるＩＰパケットからＢチャネル信号及びＤチャネル信号を抽出し、得られる各信号を前記ＩＳＤＮ加入者回線に転送する少なくとも１つのアクセスゲートウェイと、
前記ＩＰパケットのうちでＤチャネル信号がＩＰパケット化されたＤチャネル信号パケットを前記ＩＰ網を介して送受信し、前記Ｄチャネル信号パケットに対してＤチャネル終端処理を行う少なくとも１つのＤチャネル終端装置と、
を含むことを特徴とする電話交換システム。
【請求項２】
前記アクセスゲートウェイは、前記ＩＳＤＮ加入者回線の複数を集線して、該複数回線からの複数信号を多重化し、前記ＩＰパケット化処理に供する集線処理部を含むことを特徴とする請求項１記載の電話交換システム。
【請求項３】
前記Ｄチャネル終端装置は、前記Ｄチャネル信号パケットに対して、前記ＩＳＤＮプロトコルのうちの少なくともレイヤ２に関わるＤチャネル終端処理なすことを特徴とする請求項１記載の電話交換システム。
【請求項４】
前記Ｄチャネル終端装置との間で、前記レイヤ２に関わる終端処理がなされたＤチャネル信号パケットを前記ＩＰ網を介して送受信し、前記Ｄチャネル信号パケットに対して前記ＩＳＤＮプロトコルのうちのレイヤ３に関わるＤチャネル終端処理をなすコールエージェントをさらに含むことを特徴とする請求項３記載の電話交換システム。
【発明の詳細な説明】
【技術分野】
【０００１】
本発明は、ＩＰ網におけるパケット交換機能を電話交換のために用いることにより電話交換サービスを提供する電話交換システムに関する。
【背景技術】
【０００２】
従来、音声信号をＩＰ網上で伝送するＶｏＩＰ技術の電話通信への応用としては、公衆加入者電話網（ＰＳＴＮ）に接続されるゲートウェイ装置において、音声信号をパケット化し、これをルータを介してインターネットあるいはイントラネットに供給するという形態がある。この場合、かかるゲートウェイ装置は、ＩＴＵ−Ｔ勧告Ｈ．３２３等のＶｏＩＰ規格に準拠するように構成される。
【０００３】
特許文献１を参照すると、ＩＰ網と公衆加入者電話網との相互接続、すなわち、インターワーキングを実現するシステムが開示されている。ここでは、公衆加入者電話網とＩＰ網との間でインタフェースを実現するメディアゲートウェイ装置が備えられている。該システムは、さらに、該ＩＰ網及び共通線信号網に繋がれてＤチャネル終端処理を行うシグナリングゲートウェイを備えている。これにより、複数のメディアゲートウェイにそれぞれＤチャネル終端機能を具備することが不要とされ、網全体として低コストが可能であるとしている。
【０００４】
尚、Ｄチャネル終端機能とは、Ｄチャネルを介して送受信される各種信号に対して、ＩＳＤＮのプロトコルスタックにおける各レイヤ毎に定まる適切な端末応答をなす処理を意味する。例えば、ＩＳＤＮのプロトコルスタックにおけるレイヤ３に関する終端処理は呼設定及び呼解放等の呼接続に関わる端末応答をなす処理を含んでいる（非特許文献１参照）。
【特許文献１】特開２００２−２０８９６６号公報
【非特許文献１】ＲＦＣ２７１９  "Framework Architecture For Signaling Transport"
【発明の開示】
【発明が解決しようとする課題】
【０００５】
しかしながら、かかるシステムによっては、網全体として低コストが可能であるとしても、公衆加入者電話網とのインタフェースを備えることに伴って、共通線信号網とのインタフェースを備える必要がある。
【０００６】
本発明の目的は、公衆加入者電話網や共通線信号網とのインタフェースを備えることなく、複数のＩＳＤＮ加入者回線を直接に収容しつつ、網全体の低コスト化を可能とする電話交換システムを提供することである。
【課題を解決するための手段】
【０００７】
本発明による電話交換システムは、電話交換機能を担うＩＰ網を含む電話交換システムであり、少なくとも１つのＩＳＤＮ加入者回線を収容し、該ＩＳＤＮ加入者回線から受信されるＢチャネル信号及びＤチャネル信号に対してＩＰパケット化処理をなして、得られるＩＰパケットを該ＩＰ網に転送すると共に、該ＩＰ網から受信されるＩＰパケットからＢチャネル信号及びＤチャネル信号を抽出し、得られる各信号を該ＩＳＤＮ加入者回線に転送する少なくとも１つのアクセスゲートウェイと、該ＩＰパケットのうちでＤチャネル信号がＩＰパケット化されたＤチャネル信号パケットを該ＩＰ網を介して送受信し、該Ｄチャネル信号パケットに対してＤチャネル終端処理を行う少なくとも１つのＤチャネル終端装置とを含むことを特徴とする。
【発明の効果】
【０００８】
本発明による電話交換システムによれば、公衆加入者電話網とのインタフェースを備えることに伴う共通線信号網とのインタフェースを備えることなく、複数のＩＳＤＮ加入者回線を直接に収容しつつ、網全体の低コスト化を図ることが可能となる。
【発明を実施するための最良の形態】
【０００９】
本発明の実施例について添付の図面を参照して詳細に説明する。
＜第１の実施例＞
図１は、本発明の第１に実施例であり、電話交換システムの構成を示している。ここで、１つのＤチャネル終端装置２０と複数のアクセスゲートウェイ３０ａ〜３０ｃと、コールエージェント６０とがＩＰ網１０に接続されている。複数のＩＳＤＮ加入者端末５０ａ〜５０ｃの各々は、ＩＳＤＮ加入者回線４０を介して複数のアクセスゲートウェイ３０ａ〜３０ｃの各々に接続されている。かかる構成によりＩＰ網１０が中継交換機として用いられ、ＩＳＤＮ加入者端末５０ａ〜５０ｃに電話交換サービスが提供される。尚、本図において３つのアクセスゲートウェイ３０ａ〜３０ｃが示しているが、本発明はかかる数に限定されない。
【００１０】
Ｄチャネル終端装置２０は、アクセスゲートウェイ３０ａ〜３０ｃとＩＳＤＮ加入者端末５０ａ〜５０ｃとの間の信号方式に対応するＩＳＤＮのＤチャネル終端機能をＩＰ網１０を介して提供する機能を有する。Ｄチャネル終端装置２０は、ＩＳＤＮのプロトコルスタックにおける少なくともレイヤ２の終端処理を行う。
【００１１】
コールエージェント６０は、Ｄチャネル終端装置２０との間で、Ｄチャネル信号のうちでＩＳＤＮのレイヤ３に含まれる呼制御信号をＩＰパケットとして送受信することで、ＩＳＤＮ加入者端末５０ａ〜５０ｃの各々に対する呼制御を行う機能を有する。尚、本実施例における電話交換システムは公衆加入者電話網に接続されるのではなく、ＩＳＤＮ加入者回線を直接に収容することから、コールエージェント６０は共通線信号網とのインタフェースを備える必要がない。
【００１２】
アクセスゲートウェイ３０ａ〜３０ｃの各々は、ＩＳＤＮ加入者端末５０ａ〜５０ｃの各々をＵＮＩ（User Network Interface）にて直接収容する機能と、ＩＳＤＮのＤチャネル信号をＤチャネル終端装置２０との間でＩＰパケットにより送受信する機能とを有する。
【００１３】
図２は、図１に示されたアクセスゲートウェイ３０のより詳細の構成を示している。本図を参照すると、回線インタフェース部３１がＢチャネル処理部３４及びＤチャネル処理部３６に接続されている。Ｄチャネル処理部３６は、Ｄチャネルフレーム処理部３７とＩＰパケット処理部３８とを含んでいる。Ｂチャネル処理部３４及びＤチャネル処理部３６は、ＩＰインタフェース部３５及び３９を各々介してＩＰ網１０に接続されている。
【００１４】
回線インタフェース部３１は、ＩＳＤＮ加入者端末５０をＩＳＤＮ加入者回線４０にて収容する加入者回線インタフェース機能を有する。回線インタフェース部３１は、回線上のＢチャネル信号とＤチャネル信号とを分離して、Ｂチャネル信号をラインＬ１を介してＢチャネル処理部３４へ送信し、Ｄチャネル信号をラインＬ２を介してＤチャネル処理部３６内のＤチャネルフレーム処理部３７へ送信する機能を有する。また、回線インタフェース部３１は、Ｂチャネル処理部３４からラインＬ１を介して受信したＢチャネル信号と、Ｄチャネル処理部３６からラインＬ２を介して受信したＤチャネル信号とを多重してＩＳＤＮ加入者回線４０に送信する機能を有する。
【００１５】
Ｄチャネル処理部３６内のＤチャネルフレーム処理部３７は、回線インタフェース部３１から受信したフレーム化されたＤチャネル信号からＤチャネル信号を抽出して、これをＩＰパケット化のためにＩＰパケット処理部３８に送信する機能を有する。また、Ｄチャネルフレーム処理部３７は、ＩＰパケット処理部３８から受信したＤチャネル信号をフレーム化して回線インタフェース部３１に送信する機能を有する。
【００１６】
Ｄチャネル処理部３６内のＩＰパケット処理部３８は、回線インタフェース部３１から受信したＤチャネル信号をＩＰパケット化してＩＰインタフェース部３９に送出する機能を有する。また、ＩＰパケット処理部３８は、Ｄチャネル信号をＩＰパケット化する際には、Ｄチャネル終端装置２０への宛先アドレスをＩＰパケットのヘッダに付与する。さらに、ＩＰパケット処理部３８は、ＩＰインタフェース部３９から受信したＩＰパケットからＤチャネル信号を抽出してＤチャネルフレーム処理部３７へ送信する機能を有する。
【００１７】
ＩＰインタフェース部３５は、Ｂチャネル処理部３４との間で送受信されるＢチャネル信号と、ＩＰ網１０との間で送受信されるＩＰパケットとの変換処理をなす機能と、ＩＰ網１０に対するレイヤ１終端機能とを有する。ＩＰインタフェース部３９は、Ｄチャネル処理部３６との間で送受信されるＤチャネル信号と、ＩＰ網１０との間で送受信されるＩＰパケットとの変換処理をなす機能と、ＩＰ網１０に対するレイヤ１終端機能とを有する。ＩＰパケット化されるＤチャネル信号は、Ｄチャネル終端装置２０を宛先として送受信される。
【００１８】
図３は、図１に示されたＤチャネル終端装置２０のより詳細の構成を示している。Ｄチャネル終端装置２０は、ＩＰインタフェース部２１と、Ｄチャネル終端機能部２２とを含んでいる。
【００１９】
ＩＰインタフェース部２１は、アクセスゲートウェイ３０との間でＩＰパケット化されたＤチャネル信号をＩＰ網１０を介して送受信する機能と、ＩＰ網１０に対するレイヤ１終端機能とを有する。またＩＰインタフェース部２１は、Ｄチャネル終端機能部２２との間でＩＰパケットを送受信する機能を有する。
【００２０】
Ｄチャネル終端機能部２２は、ＩＰインタフェース部２１から受信したＩＰパケットからＤチャネル信号を抽出し、Ｄチャネル信号をＩＰパケット化してＩＰインタフェース部２１へ送信する機能を有する。また、Ｄチャネル終端機能部２２は、ＩＰインタフェース２１と送受信したＤチャネル信号によりＩＳＤＮレイヤ２の終端処理をなす機能を有する。レイヤ３の終端処理は、コールエージェント６０により行われる。
【００２１】
図４は、第１に実施例における処理手順を示している。本図を用いて、ＩＳＤＮ加入者端末５０と、アクセスゲートウェイ３０を介したＤチャネル終端装置２０との間のレイヤ２レベルのメッセージの流れを説明する。また、図２で示された構成要素を適宜参照して説明する。
【００２２】
ステップＳ１において、ＩＳＤＮ加入者端末５０からＳＡＢＭＥ信号が上がると、ＩＳＤＮ加入者回線４０を経由してアクセスゲートウェイ３０で信号が受信される。ＳＡＢＭＥ（Set Asynchronous Balanced Mode Extended）信号とは、非同期拡張平衡モード設定、すなわち拡張モードのマルチフレーム・リンクの設定を要求する信号である。
【００２３】
アクセスゲートウェイ３０は、インタフェースをなすＩＳＤＮ加入者回線４０からの信号を回線インタフェース部３１に入力する。回線インタフェース部３１は、ＩＳＤＮレイヤ１の終端を行い、ＩＳＤＮ加入者回線４０から抽出したＢチャネル信号をラインＬ１を通じてＢチャネル処理部３４へ転送し、Ｄチャネル信号をラインＬ２を通じてＤチャネル処理部３６へ転送する。Ｄチャネル処理部３６へ転送されたＤチャネル信号は、Ｄチャネルフレーム処理部３７へ入力される。Ｄチャネルフレーム処理部３７は入力されたＤチャネル信号からＤチャネルフレームを抽出し、ＩＰパケット処理部３８に転送する。ＩＰパケット処理部３８は、入力されたＤチャネルフレームをＩＰパケットに変換する。
【００２４】
ここで、ＩＰパケット処理部３８は、ＩＰ網１０上に存在する複数のアクセスゲートウェイ３０の各々を一意に識別し得る識別情報をＩＰパケットに付加すると共に、ＩＰ網１０上に存在するＤチャネル終端装置２０のアドレスをＩＰパケットの宛先アドレスとして挿入した後、ＩＰインタフェース部３５へと転送する。
【００２５】
尚、Ｄチャネル終端装置はＩＰ網１０上に複数存在しても良い。この場合、ＩＰパケット処理部３８は、所望のＤチャネル終端装置のアドレスをＩＰパケットの宛先アドレスとして挿入する。
【００２６】
ステップＳ２において、ＩＰインタフェース部３５は、Ｄチャネルフレーム処理部３７から受信したＩＰパケットをＩＰ網１０上の宛先であるＤチャネル終端装置２０に対して転送する。Ｄチャネル終端装置２０は、ＩＰ網１０を介して受信したＩＰパケットをＩＰインタフェース部３５でレイヤ１の終端を行い、内蔵するＤチャネル終端機能部２４に転送する。Ｄチャネル終端機能部２４は、転送されたＩＰパケットからアクセスゲートウェイ番号とＤチャネル信号とを抽出し、これらを基にしてＩＳＤＮレイヤ２の終端を行う。レイヤ３終端は、ＩＰ網１０に接続されたコールエージェント６０において、転送されるＩフレームに含まれるレイヤ３の情報に基づいて行われる。もちろん、Ｄチャネル終端装置２０がレイヤ２を終端した後に、そのＤチャネル終端機能部２４においてレイヤ３終端が行われても良い。
【００２７】
ステップＳ３において、Ｄチャネル終端装置２０は、上記の要領でＤチャネルによりＳＡＢＭＥ信号が正常受信されたことを確認すると、ＵＡ信号の転送を開始する。ＵＡ（Unnumbered Acknowledgement）信号とは、非番号制確認信号であり、ＳＡＢＭＥ信号等の設定要求信号に対する確認信号である。Ｄチャネル終端装置２０のＤチャネル終端機能部２２において、ＵＡ信号は、受信されたアクセスゲートウェイ番号を基にして送信先アクセスゲートウェイアドレスが付与されてＩＰパケット化され、ＩＰインタフェース部２１に転送される。
【００２８】
ＩＰインタフェース部２１は、Ｄチャネル終端機能部２２から転送されたＩＰパケットをＩＰ網１０に送信する。アクセスゲートウェイ３０のＩＰインタフェース部３９は、ＩＰ網１０に送信されたＩＰパケットを受信してレイヤ１の終端を行った後にＩＰパケット処理部３８に転送する。ＩＰパケット処理部３８は、該ＩＰパケットからＤチャネル信号を抽出し、抽出したＤチャネル信号をラインＬ２を通じて、回線インタフェース部３１に転送する。
【００２９】
ステップＳ４において、回線インタフェース部３１は、Ｄチャネル処理部３６から受信したＤチャネル信号と、Ｂチャネル処理部３４から受信したＢチャネル信号とをＩＳＤＮにおけるＵＮＩ（User Network Interface）仕様のフォーマットに多重してＩＳＤＮ加入者端末５０に向けて送信する。
【００３０】
同様にして、レイヤ３の情報を担うIフレームが、ＩＳＤＮ加入者端末５０−アクセス
ゲートウェイ３０−Ｄチャネル終端装置２０との間で送受信される（ステップＳ５〜Ｓ８）。また、同様にして、切断要求信号であるＤＩＳＣ（Disconnect）信号とこれに応答するＵＡ信号が送受信される（ステップＳ９〜Ｓ１２）。
【００３１】
以上の第１の実施例において、１つのＤチャネル終端装置により複数のアクセスゲートウェイのＤチャネルの終端処理が行われる。複数のアクセスゲートウェイのそれぞれにＤチャネル終端機能を具備するよりもアクセスゲートウェイの簡略化と低コスト化を図ることが出来る。またＤチャネルの終端を物理的に１箇所に集約することにより、リソース管理の一元化を図ることができ管理上の効率化が果たされる。
＜第２の実施例＞
図５は、本発明の第２に実施例であり、電話交換システムの構成を示している。ここで、１つのＤチャネル終端装置２０と複数のアクセスゲートウェイ３０ａ及び３０ｂと、コールエージェント６０とがＩＰ網１０に接続されている。複数のＩＳＤＮ加入者端末５０ａ〜５０ｃの各々は、ＩＳＤＮ加入者回線４０ａ〜４０ｃを各々介して１つのアクセスゲートウェイ３０ａに接続されている。尚、図示されないが、複数のＩＳＤＮ加入者端末の各々が１つのアクセスゲートウェイ３０ｂに同様に接続され得る。Ｄチャネル終端装置２０及びコールエージェント６０は第１の実施例のおけると同様の機能を及び構成を有する。
【００３２】
図６は、図５に示されたアクセスゲートウェイの詳細構成を示している。第１の実施例とは異なり、回線インタフェース部３１は、複数のＩＳＤＮ加入者回線４０ａ〜４０ｃの各々を収容する機能を有する。集線処理部３２が新たに設けられている。本図では、回線インタフェース部３１に３つのＩＳＤＮ加入者回線４０ａ〜４０ｃが収容されているが、本発明はかかる数に限定されない。
【００３３】
集線処理部３２は、回線インタフェース部３１で分離された複数のＢチャネル信号を集線し、これらを所定の各タイムスロットに格納する時分割多重方式により多重化してＢチャネル処理部３４に転送する機能と、同様に複数のＤチャネルを集線及び多重化してＤチャネル処理部３６に転送する機能とを有する。集線処理部３２は、また、Ｂチャネル処理部３４及びＤチャネル処理部３６から多重化して転送された信号を分離して、対応するＩＳＤＮ加入者回線４０ａ〜４０ｃの各々に送信する機能を有する。他の構成については第１の実施例と同様である。
【００３４】
また、ＩＰパケット処理部３８は、集線された複数のＤチャネル信号からＩＰパケットを生成する際にＩＳＤＮ加入者端末の識別情報を付与する機能と、ＩＰ網１０からＩＳＤＮ加入者端末の識別情報と共に受信したＩＰパケットからＤチャネル信号を生成して該識別情報に従って対応する加入者回線に送出する機能とを備える。
【００３５】
第２の実施例における動作について、第１の実施例との違いに重点を置きつつ、図４の信号の流れに従って説明する。また、図５で示された構成要素を適宜参照して説明する。
【００３６】
ステップＳ１において、ＩＳＤＮ加入者端末５０からＳＡＢＭＥ信号が上がると、ＩＳＤＮ加入者回線４０を経由してアクセスゲートウェイ３０で信号が受信される。アクセスゲートウェイ３０は、ＩＳＤＮ加入者回線４０ａ〜４０ｃからの各信号を回線インタフェース部３１に入力する。回線インタフェース部３１は、ＩＳＤＮレイヤ１の終端を行い、ＩＳＤＮ加入者回線４０ａ〜４０ｃから抽出したＢチャネル信号とＤチャネル信号をそれぞれ集線処理部３２に転送する。集線処理部３２では、回線インタフェース部３１からの複数のＩＳＤＮ加入者回線４０の信号をＢチャネル及びＤチャネル毎に集線し、Ｂチャネル信号を所定のタイムスロットに入れてラインＬ１を通じてＢチャネル処理部３４へ転送し、Ｄチャネル信号をラインＬ２を通じてＤチャネル処理部３６へ転送する。
【００３７】
Ｄチャネル処理部３６へ転送されたＤチャネル信号は、Ｄチャネルフレーム処理部３７へ入力される。Ｄチャネルフレーム処理部３７は入力されたＤチャネル信号からＤチャネルフレームを抽出し、ＩＰパケット処理部３８に転送する。ＩＰパケット処理部３８は、入力されたＤチャネルフレームをＩＰパケットに変換する。
【００３８】
ここで、ＩＰパケット処理部３８は、ＩＰ網１０上に存在する複数のアクセスゲートウェイ３０の各々を一意に識別し得る識別情報をＩＰパケットに付加すると共に、ＩＰ網１０上に存在するＤチャネル終端装置２０のアドレスをＩＰパケットの宛先アドレスとして挿入した後、ＩＰインタフェース部３５へと転送する。
【００３９】
ステップＳ２において、ＩＰインタフェース部３５は、Ｄチャネルフレーム処理部３７から受信したＩＰパケットをＩＰ網１０上の宛先であるＤチャネル終端装置２０に対して転送する。Ｄチャネル終端装置２０は、ＩＰ網１０を介して受信したＩＰパケットをＩＰインタフェース部３５でレイヤ１の終端を行い、内蔵するＤチャネル終端機能部２４に転送する。Ｄチャネル終端機能部２４は、転送されたＩＰパケットからアクセスゲートウェイ番号とＤチャネル信号とを抽出し、これらを基にしてＩＳＤＮレイヤ２の終端を行う。レイヤ３終端は、ＩＰ網１０に接続されたコールエージェント６０において、転送されるＩフレームに含まれるレイヤ３の情報に基づいて行われる。もちろん、Ｄチャネル終端装置２０がレイヤ２を終端した後に、そのＤチャネル終端機能部２４においてレイヤ３終端が行われても良い。
【００４０】
ステップＳ３において、Ｄチャネル終端装置２０は、上記の要領でＤチャネルによりＳＡＢＭＥ信号が正常受信されたことを確認すると、ＵＡ信号の転送を開始する。Ｄチャネル終端装置２０のＤチャネル終端機能部２２において、ＵＡ信号は、受信されたアクセスゲートウェイ番号を基にして送信先アクセスゲートウェイアドレスが付与されてＩＰパケット化され、ＩＰインタフェース部２１に転送される。
【００４１】
ＩＰインタフェース部２１は、Ｄチャネル終端機能部２２から転送されたＩＰパケットをＩＰ網１０に送信する。アクセスゲートウェイ３０のＩＰインタフェース部３９は、ＩＰ網１０に送信されたＩＰパケットを受信してレイヤ１の終端を行った後にＩＰパケット処理部３８に転送する。ＩＰパケット処理部３８は、該ＩＰパケットからＤチャネル信号と回線番号を抽出し、抽出した回線番号を基にＤチャネル信号を時分割にラインＬ２を通じて、集線処理部３２に転送する。集線処理部３２は、時分割多重における各タイムスロットのＤチャネル信号をその回線番号に従ってＩＳＤＮ加入者回線４０ａ〜４０ｃの各々に出力できるように回線インタフェース３１に転送する。
【００４２】
ステップＳ４において、回線インタフェース部３１は、Ｄチャネル処理部３６から受信したＤチャネル信号と、Ｂチャネル処理部３４から受信したＢチャネル信号とをＩＳＤＮにおけるＵＮＩ（User Network Interface）仕様のフォーマットに多重してＩＳＤＮ加入者端末５０に向けて送信する。
【００４３】
同様にして、レイヤ３の情報を担うIフレームが、ＩＳＤＮ加入者端末５０−アクセス
ゲートウェイ３０−Ｄチャネル終端装置２０との間で送受信される（ステップＳ５〜Ｓ８）。また、同様にして、切断要求信号であるＤＩＳＣ（Disconnect）信号とこれに応答するＵＡ信号が送受信される（ステップＳ９〜Ｓ１２）。
【００４４】
以上の第２の実施例において、複数のＩＳＤＮ加入者回線４０ａ〜４０ｃのＤチャネル信号を集線することにより、複数回線に対して１つのＤチャネル処理部３６が共通に使用される。これにより、第１の実施例よりも、さらにアクセスゲートウェイ３０の簡略化と低コスト化が図られる。
【図面の簡単な説明】
【００４５】
【図１】本発明の第１に実施例であり、電話交換システムの構成を示しているブロック図である。
【図２】図１に示されたアクセスゲートウェイのより詳細の構成を示しているブロック図である。
【図３】図１に示されたＤチャネル終端装置のより詳細の構成を示しているブロック図である。
【図４】第１に実施例における処理手順を示しているシーケンス図である。
【図５】本発明の第２に実施例であり、電話交換システムの構成を示しているブロック図である。
【図６】図５に示されたアクセスゲートウェイの詳細の構成を示しているブロック図である。
【符号の説明】
【００４６】
１０  ＩＰ網
２０  Ｄチャネル終端装置
２１  ＩＰインタフェース部
２２  Ｄチャネル終端機能部
３０  アクセスゲートウェイ
３１  回線インタフェース部
３２  集線処理部
３４  Ｂチャネル処理部
３５、３９  ＩＰインタフェース部
３６  Ｄチャネル処理部
３７  Ｄチャネルフレーム処理部
３８  ＩＰパケット処理部
４０  ＩＳＤＮ加入者回線
５０  ＩＳＤＮ加入者端末
６０  コールエージェント
Ｌ１、Ｌ２  ライン
【図１】
2007081994.tif 000003
【図２】
2007081994.tif 000004
【図３】
2007081994.tif 000005
【図４】
2007081994.tif 000006
【図５】
2007081994.tif 000007
【図６】
2007081994.tif 000008